(57)【要約】【課題】製造コストの高騰を招来することなく、必要範囲に印刷を確実に行え、高級感のある自由な意匠を得ること。【解決手段】印刷面２ｂの外周囲と、斜面に形成してある非印刷面２ｃとの境界に、境界面４が形成してある。この境界面４は、インクがかかってもよく且つあまり目立たない緩衝領域である。境界面４は、小さく且つ微小な凸部状に形成した面、段差状に形成した面、又は、印刷面２ｂに対して略９０°に形成した面である。印刷面２ｂには、タンポ印刷によって、インクが乗せられて印刷される。境界面４には、インク層５のインクが途中までかかっている。これにより、印刷面２ｂでは、印刷ズレによる印刷無し部分を残すことなく、また、非印刷面２ｃには、不要なインクが付着することがない。【選択図】図２
2007328282.tif 000002
【特許請求の範囲】
【請求項１】
印刷が施されていない第１の部分と、前記第１の部分の一面上において前記一面と交差する方向に備えられた側面と、外縁が前記側面に囲まれている印刷面とを含む本体部と、
前記印刷面に備えられた塗料とを含むことを特徴とする印刷部品。
【請求項２】
請求項１に記載された印刷部品であって、
前記印刷面の前記外縁の少なくとも一部には、前記塗料が備えられていることを特徴とする印刷部品。
【請求項３】
請求項１又は２に記載された印刷部品であって、
前記印刷面は、平面又は曲面であることを特徴とする印刷部品。
【請求項４】
請求項１から請求項３までの何れか１項に記載された印刷部品であって、
前記印刷面と前記側面とは、略直交していることを特徴とする印刷部品。          
【請求項５】
請求項１から請求項４までの何れか１項に記載された印刷部品であって、
前記印刷面には、凹溝が形成されていることを特徴とする印刷部品。
【請求項６】
請求項１から請求項５までの何れか１項に記載された印刷部品であって、
前記一面から前記印刷面に至る前記側面の長さをａとしたとき、
０．１ｍｍ≦  ａ  ≦０．３ｍｍ
であることを特徴とする印刷部品。
【請求項７】
請求項１から請求項６までの何れか１項に記載された印刷部品であって、
前記第１の部分には、メッキが施されていることを特徴とする印刷部品。
【請求項８】
請求項１から請求項７までの何れか１項に記載された印刷部品を備えたことを特徴とする光学機器。
【請求項９】
請求項１から請求項７までの何れか１項に記載された印刷部品を備えたことを特徴とする電子機器。
【発明の詳細な説明】
【技術分野】
【０００１】
本発明は、印刷外観面を有する操作部材や外観装飾部材を作製する場合に於ける印刷部品に関し、当該印刷部品を備えた光学機器及び電子機器に関する。
【背景技術】
【０００２】
従来、印刷外観面を有する操作部材や外観装飾部材を作製する場合、金属やプラスチックで成形加工された部材に、タンポ印刷やスクリーン印刷を用いて、文字や表示マーク等を印刷する方法が一般的である。
【０００３】
特許文献１では、操作釦を透明樹脂で成形し、その裏面に文字等の印刷を行い表示部としたものがある。
【特許文献１】特開平１１−２１９１２０号公報
【発明の開示】
【発明が解決しようとする課題】
【０００４】
従来からの印刷方式は、平坦面上に文字等ポジを印刷することを主目的としている。一方、被印刷物に対して、印刷版の位置ずれは、ある程度許容しなくてはならない。
【０００５】
例えば、面全体印刷で白抜き文字等のネガ意匠では、印刷面端面と被印刷物の外形とのずれにより、本来印刷したい面にインクが乗らず、側面などの印刷不要な面にインクがはみ出す等の不具合が起きる。
【０００６】
位置ずれの問題を解決する為には、印刷治工具の位置決め精度を上げ、印刷版との位置関係も高精度に保つ高価な設備が必要である。精度を確保する為に一度に多数の印刷を同時に出来ないこと、マスキングを行い必要面のみに印刷するなど、コスト的にも不利となっていた。印刷ずれを目立たなくする手段のーつとして、印刷版を被印刷部材の印刷範囲より小さくすることが必要となるので、被印刷部材端面までをカバーした意匠が得られない。また、はみ出しを許容して、側面にインクが付くと、著しく高級感を損ねる為、側面を別部材で隠す、マスキングを行う、など自由なデザインが得られないとともに、コスト高になる、という不都合があった。
【０００７】
また、操作部材の裏面に全面印刷を行ったものでは、その裏面印刷面の周辺部は、印刷範囲を外径より小さくするか、又は、大きい印刷版を使用して側面までインクのかかりを許容するか、といった印刷範囲のデザイン的な制約がある。
【０００８】
本発明は、上述したような事情に鑑みてなされたものであって、製造コストの高騰を招来することなく、必要範囲に印刷を確実に行え、高級感のある自由な意匠を得ることができる、印刷部品、光学機器、及び電子機器を提供することを目的とする。
【課題を解決するための手段】
【０００９】
上記の目的を達成するため、本発明は、
印刷が施されていない第１の部分と、前記第１の部分の一面上において前記一面と交差する方向に備えられた側面と、外縁が前記側面に囲まれている印刷面とを含む本体部と、
前記印刷面に備えられた塗料とを含むことを特徴とする印刷部品を提供する。
【００１０】
本発明はまた、上記印刷部品を備えた光学機器および電子機器をも提供する。
【発明の効果】
【００１１】
本発明によれば、製造コストの高騰を招来することなく、必要範囲に印刷を確実に行え、高級感のある自由な意匠を得ることができる。
【発明を実施するための最良の形態】
【００１２】
図１は、本発明の実施の形態に係るカメラの正面図である。図２は、図１のＩＩ−ＩＩ線に沿った断面図である。
【００１３】
図１に示すように、カメラ本体１には、銘板２が装着してある。図２に示すように、銘板２は、部品として完成した後、両面テープ３により、カメラ本体１の凹部１ａに貼着してある。
【００１４】
銘板２は、材料にプラスチックを使用して、射出成形によって作製してある。銘板２は、その正面側に、凹状の文字を掘削した文字凹部２ａが形成してあり、抜き勾配を持ち、正面から見て文字に見えるように構成してある。文字凹部２ａの周囲に、略円形状の印刷面２ｂが形成してある。印刷面２ｂは、略単一面の平面又は曲面であればよい。
【００１５】
文字凹部２ａと、印刷面２ｂとの両方の面には、印刷前の工程において、メッキ、蒸着塗装、又は、着色塗装が予め施してある。
【００１６】
本実施の形態では、印刷面２ｂの外周囲と、斜面に形成してある非印刷面２ｃとの境界に、境界面４が形成してある。
【００１７】
この境界面４は、後述するように、インクがかかってもよく且つあまり目立たない、いわば緩衝領域である。境界面４は、小さく且つ微小な凸部状に形成した面、段差状に形成した面、又は、印刷面２ｂに対して略９０°に形成した面であり、非印刷面２ｃにつながっている。
【００１８】
境界面４の幅又は高さは、カメラ等においては、０．１〜０．３ｍｍに設定してあり、好適には、０．２ｍｍである。別言すれば、境界面４の長さをａとしたとき、０．１ｍｍ≦ａ≦０．３ｍｍである。
【００１９】
境界面４に隣接する非印刷面２ｃは、鏡面の意匠が施してあり、斜面だけでなく、円弧状面、又は、直線状に形成した面であってもよい。
【００２０】
本実施の形態では、略円形状の印刷面２ｂ（図１で多数の点を付した部分）には、タンポ印刷によって、インクが乗せられて印刷される。図２で、符号５は、印刷されたインク層である。なお、タンポ印刷に代えて、スクリーン印刷であってもよい。
【００２１】
このように、境界面４には、インク層５のインクが途中までかかっている。これにより、印刷面２ｂでは、印刷ズレによる印刷無し部分を残すことなく、また、非印刷面２ｃには、不要なインクが付着することがない。
【００２２】
従って、製造コストの高騰を招来することなく、印刷面２ｂの必要範囲に印刷を確実に行え、高級感のある自由な意匠を得ることができる。
【００２３】
図３は、図１に示した操作部材の断面図である。カメラの情報設定を行う操作部材１０は、カメラ本体１に回転可能に設けてある。
【００２４】
操作部材１０は、外側面にローレット加工を施したローレット部１１と、このローレット部１１に両面テープ１３により貼着した透明の表示部１２と、からなる。
【００２５】
透明の表示部１２は、材料に透明プラスチックを使用し、射出成形によって作製してある。裏面の印刷面１２ｂに先に文字印刷を施し、透明プラスチックを通して文字が見え、面印刷によって固定部材である両面テープ１３を隠す役割も果たしている。他にも、非図示の貼付け工程位置決め指標などを隠す役割を持たせることも可能である。平面で構成される印刷面１２ｂは、表示部１２の外径よりも小さくしてある。
【００２６】
表示部１２の外周囲は、階段状に形成してあり、境界面１４と、非印刷面１２ｃとが略９０°に形成してある。
【００２７】
境界面１４は、小さく且つ微小な凸部状に形成した面、段差状に形成した面、又は、印刷面１２ｂに対して略９０°に形成した面であり、非印刷面１２ｃにつながっている。境界面１４の幅（凸部状の面の高さ）は、カメラ等においては、０．１〜０．３ｍｍに設定してあり、好適には、０．２ｍｍである。  
【００２８】
本実施の形態では、印刷面１２ｂには、タンポ印刷によって、インクが乗せられて印刷される。図３で、符号１５は、印刷されたインク層である。
【００２９】
このように、境界面１４には、インク層１５のインクが途中までかかっている。これにより、印刷面１２ｂでは、印刷ズレによる印刷無し部分を残すことなく、また、非印刷面１２ｃには、不要なインクが付着することがない。
【００３０】
従って、製造コストの高騰を招来することなく、印刷面１２ｂの必要範囲に印刷を確実に行え、高級感のある自由な意匠を得ることができる。
【００３１】
なお、本発明は、上述した実施の形態に限定されず、種々変形可能である。例えば、実施の形態では、カメラの銘板と表示部を印刷部品としているが、これに限定されず、携帯電話、固定電話、オーディオ機器等の光学機器や電子機器であってもよく、印刷部品としては、押しボタンや表示窓等であってもよい。
【図面の簡単な説明】
【００３２】
【図１】本発明の実施の形態に係るカメラの正面図である。
【図２】図１のＩＩ−ＩＩ線に沿った断面図である。
【図３】図１に示した操作部材の断面図である。
【符号の説明】
【００３３】
２ｂ，１２ｂ…印刷面、２ｃ，１２ｃ…非印刷面（第１の部分）、４，１４…境界面（側面）
【図１】
2007328282.tif 000003
【図２】
2007328282.tif 000004
【図３】
2007328282.tif 000005